【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
アナログ通信端末と通信するためのアナログ端末通信手段と、データ通信網に接続するためのデータ通信網接続手段とを備えたデータ通信装置において、
前記アナログ通信端末から前記データ通信網における通信方式を指示する指示情報を受け取る受取手段と、
前記受取手段により受け取られた指示情報に示された通信方式によって、前記データ通信網におけるデータ通信を実行するデータ通信実行手段と
を有することを特徴とするデータ通信装置。
【請求項２】
前記アナログ通信端末はファクシミリ装置であり、前記データ通信装置はゲートウエイ装置であることを特徴とする請求項１記載のデータ通信装置。
【請求項３】
前記データ通信網はインターネットであることを特徴とする請求項１記載のデータ通信装置。
【請求項４】
前記受取手段が受け取る指示情報は、ＩＴＵ勧告Ｔ．３８による通信方式及びＩＴＵ勧告Ｔ．３７による通信方式のうち一方を指定する情報であることを特徴とする請求項１記載のデータ通信装置。
【請求項５】
前記アナログ端末通信手段により前記アナログ通信端末から受信したアナログ信号を所定形式のデータパケット信号に変換して前記データ通信網接続手段から前記データ通信網に送信することを特徴とする請求項１記載のデータ通信装置。
【請求項６】
アナログ通信端末と通信するためのアナログ端末通信手段と、データ通信網に接続するためのデータ通信網接続手段とを備えたデータ通信装置において、
前記アナログ通信端末から送信要求を受けた場合、前記データ通信網に対して第１の通信方式による呼設定を要求する呼設定要求手段と、
前記呼設定要求手段による呼設定要求に対して、前記データ通信網から呼設定不可を示す通知があった場合、前記データ通信網との間で、前記第１の通信方式とは異なる第２の通信方式によって通信を実行する通信実行手段と
を有することを特徴とするデータ通信装置。
【請求項７】
前記呼設定不可を示す通知は開放完了通知であることを特徴とする請求項６記載のデータ通信装置。
【請求項８】
前記アナログ通信端末はファクシミリ装置であり、前記データ通信装置はゲートウエイ装置であることを特徴とする請求項６記載のデータ通信装置。
【請求項９】
前記データ通信網はインターネットであることを特徴とする請求項６記載のデータ通信装置。
【請求項１０】
前記第１の通信方式はＩＴＵ勧告Ｔ．３８による通信方式であり、前記第２の通信方式はＩＴＵ勧告Ｔ．３７による通信方式であることを特徴とする請求項６記載のデータ通信装置。
【請求項１１】
前記アナログ端末通信手段により前記アナログ通信端末から受信したアナログ信号を所定形式のデータパケット信号に変換して前記データ通信網接続手段から前記データ通信網に送信することを特徴とする請求項６記載のデータ通信装置。
【請求項１２】
アナログ通信端末と通信するためのアナログ端末通信手段と、データ通信網に接続するためのデータ通信網接続手段とを備えたデータ通信装置に適用される通信方式切替方法において、
前記アナログ通信端末から前記データ通信網における通信方式を指示する指示情報を受け取る受取ステップと、
前記受取ステップで受け取られた指示情報に示された通信方式によって、前記データ通信網におけるデータ通信を実行するデータ通信実行ステップと
を有することを特徴とする通信方式切替方法。
【請求項１３】
前記アナログ通信端末はファクシミリ装置であり、前記データ通信装置はゲートウエイ装置であることを特徴とする請求項１２記載の通信方式切替方法。
【請求項１４】
前記データ通信網はインターネットであることを特徴とする請求項１２記載の通信方式切替方法。
【請求項１５】
前記受取ステップによって受け取られる指示情報は、ＩＴＵ勧告Ｔ．３８による通信方式及びＩＴＵ勧告Ｔ．３７による通信方式のうち一方を指定する情報であることを特徴とする請求項１２記載の通信方式切替方法。
【請求項１６】
アナログ通信端末と通信するためのアナログ端末通信手段と、データ通信網に接続するためのデータ通信網接続手段とを備えたデータ通信装置に適用される通信方式切替方法において、
前記アナログ通信端末から送信要求を受けた場合、前記データ通信網に対して第１の通信方式による呼設定を要求する呼設定要求ステップと、
前記呼設定要求ステップによる呼設定要求に対して、前記データ通信網から呼設定不可を示す通知があった場合、前記データ通信網との間で、前記第１の通信方式とは異なる第２の通信方式によって通信を実行する通信実行ステップと
を有することを特徴とする通信方式切替方法。
【請求項１７】
前記呼設定不可を示す通知は開放完了通知であることを特徴とする請求項１６記載の通信方式切替方法。
【請求項１８】
前記アナログ通信端末はファクシミリ装置であり、前記データ通信装置はゲートウエイ装置であることを特徴とする請求項１６または請求項１７記載の通信方式切替方法。
【請求項１９】
前記データ通信網はインターネットであることを特徴とする請求項１６記載の通信方式切替方法。
【請求項２０】
前記第１の通信方式はＩＴＵ勧告Ｔ．３８による通信方式であり、前記第２の通信方式はＩＴＵ勧告Ｔ．３７による通信方式であることを特徴とする請求項１６記載の通信方式切替方法。
【請求項２１】
アナログ通信端末と通信するためのアナログ端末通信手段と、データ通信網に接続するためのデータ通信網接続手段とを備えたデータ通信装置に適用される通信方式切替方法をプログラムとして記憶した、コンピュータにより読み出し可能な記憶媒体において、
前記通信方式切替方法が、
前記アナログ通信端末から前記データ通信網における通信方式を指示する指示情報を受け取る受取ステップと、
前記受取ステップで受け取られた指示情報に示された通信方式によって、前記データ通信網におけるデータ通信を実行するデータ通信実行ステップと
を有することを特徴とする記憶媒体。
【請求項２２】
アナログ通信端末と通信するためのアナログ端末通信手段と、データ通信網に接続するためのデータ通信網接続手段とを備えたデータ通信装置に適用される通信方式切替方法をプログラムとして記憶した、コンピュータにより読み出し可能な記憶媒体において、
前記通信方式切替方法が、
前記アナログ通信端末から送信要求を受けた場合、前記データ通信網に対して第１の通信方式による呼設定を要求する呼設定要求ステップと、
前記呼設定要求ステップによる呼設定要求に対して、前記データ通信網から呼設定不可を示す通知があった場合、前記データ通信網との間で、前記第１の通信方式とは異なる第２の通信方式によって通信を実行する通信実行ステップと
を有することを特徴とする記憶媒体。
【手続補正２】
【補正対象書類名】明細書
【補正対象項目名】００２０
【補正方法】変更
【補正の内容】
【００２０】
請求項２２記載の発明によれば、アナログ通信端末と通信するためのアナログ端末通信手段と、データ通信網に接続するためのデータ通信網接続手段とを備えたデータ通信装置に適用される通信方式切替方法をプログラムとして記憶した、コンピュータにより読み出し可能な記憶媒体において、前記通信方式切替方法が、前記アナログ通信端末から送信要求を受けた場合、前記データ通信網に対して第１の通信方式による呼設定を要求する呼設定要求ステップと、前記呼設定要求ステップによる呼設定要求に対して、前記データ通信網から呼設定不可を示す通知があった場合、前記データ通信網との間で、前記第１の通信方式とは異なる第２の通信方式によって通信を実行する通信実行ステップとを有することを特徴とする。


【手続補正３】
【補正対象書類名】明細書
【補正対象項目名】００４７
【補正方法】変更
【補正の内容】
【００４７】
また、請求項６、請求項１６または請求項２２記載の発明によれば、アナログ通信端末から送信要求を受けた場合、データ通信網に対して第１の通信方式による呼設定を要求する。この呼設定要求に対して、データ通信網から呼設定不可を示す通知があった場合、データ通信網との間で、第１の通信方式とは異なる第２の通信方式によって通信を実行する。